(57)【要約】【課題】  溶接作業を廃止して、その寸法精度への影響を除去すると共に作業効率を向上しながらも、ボルトの廻り止めと脱落防止の両方の機能を十分に発揮すること。【解決手段】  シールケース１の内側に沿って、円弧状の座金１０が設けてある。座金１０は、その中央部に、径方向ボルト４を装着し、その両端部に、軸方向ボルト５を装着するように構成してある。座金１０の中央部には、径方向ボルト４を通挿する孔又は切欠き１１が形成してあり、これに隣接して、折曲片１２が形成してある。座金１０の両端部には、座金本体に略直角である座部２０が設けてあり、この座部２０に、軸方向ボルト５を通挿する切欠き２１が形成してある。この切欠き２１に隣接して、縦壁２２が設けてあり、この縦壁２２は、折り曲げられた折曲片２３を有している。【選択図】  図１
2007002876.tif 000002
【特許請求の範囲】
【請求項１】
外方に延在して所定の部材を取付けるためのボルトを備えた円環状の軸受用シールケースに於いて、
前記ボルトの頭部の回転又は抜けを拘束する拘束手段を、具備することを特徴とする軸受用シールケース。
【発明の詳細な説明】
【技術分野】
【０００１】
本発明は、例えば、鉄道車両車軸用軸受に装着する軸受用シールケースに関する。詳しくは、当該シールケースに、所定の部材を取付けるため、当該シールケースにボルトを内蔵して改良したものに関する。
【背景技術】
【０００２】
鉄道車両車軸用軸受は、特に近年メンテナンス周期の延長及び車両の高速化に伴って、より高い信頼性が求められている。
【０００３】
特許文献１に開示してあるように、鉄道車両車軸用軸受には、例えば、各種のセンサーが装着してあることがある。
【０００４】
このようなセンサーは、一般的には、軸受の軸端側のシールケースの台座部に取付けてある。なお、このシールケースの台座部は、センサーを取付けることに限らず、その他の部材を装着することもある。
【０００５】
図３（ａ）は、従来例に係る軸受用シールケースの正面図であり、（ｂ）は、その断面図である。
【０００６】
従来例では、シールケース１は、円環状部材であって、所望の形状に成形してあり、円筒状のフランジ部２と、軸方向に対向する円板部３と、からなっている。
【０００７】
フランジ部２には、径方向外方に延在する小径の径方向ボルト４が溶接により固定してある。この溶接は、径方向ボルト４の頭部の周囲に施してあり、ボルトの廻り止め、及び、脱落防止のためである。
【０００８】
円板部３には、軸方向外方に延在する大径の軸方向ボルト５が溶接により固定してある。この溶接は、径方向ボルト５の頭部の周囲に施してあり、ボルトの廻り止め、及び、脱落防止のためである。
【０００９】
これらボルト４，５により、台座部を構成し、センサーやその他の部材を装着することができるようになっている。
【特許文献１】特開２００４−３０８８７８号公報
【発明の開示】
【発明が解決しようとする課題】
【００１０】
しかしながら、上述した溶接により、シールケース本体が変形し、寸法精度に影響を与えるといったことがある。
【００１１】
また、溶接作業自体、手間のかかり、煩雑な作業であるといった事情もある。
【００１２】
本発明は、上述したような事情に鑑みてなされたものであって、溶接作業を廃止して、その寸法精度への影響を除去すると共に作業効率を向上しながらも、ボルトの廻り止めと脱落防止の両方の機能を十分に発揮することができる、軸受用シールケースを提供することを目的とする。
【課題を解決するための手段】
【００１３】
上記の目的を達成するため、本発明に係る軸受用シールケースは、外方に延在して所定の部材を取付けるためのボルトを備えた円環状の軸受用シールケースに於いて、
前記ボルトの頭部の回転又は抜けを拘束する拘束手段を、具備することを特徴とする。
【発明の効果】
【００１４】
本発明によれば、溶接作業を廃止して、その寸法精度への影響を除去すると共に作業効率を向上しながらも、ボルトの廻り止めと脱落防止の両方の機能を十分に発揮することができる。
【発明を実施するための最良の形態】
【００１５】
以下、本発明の実施の形態に係る軸受用シールケースを図面を参照しつつ説明する。
【００１６】
図１（ａ）は、本発明の実施の形態に係る軸受用シールケースの正面図であり、（ｂ）は、その断面図であり、（ｃ）は、（ｂ）の矢印ｃの矢視図である。
【００１７】
図２（ａ）は、図１に示した座金の拡大図であり、（ｂ）は、（ａ）のｂ−ｂ線に沿った断面図である。
【００１８】
シールケース１は、円環状部材であって、所望の形状に成形してあり、円筒状のフランジ部２と、軸方向に対向する円板部３と、からなっている。
【００１９】
フランジ部２には、径方向外方に延在する小径の径方向ボルト４が設けてあり、円板部３には、軸方向外方に延在する大径の軸方向ボルト５が設けてある。これらボルト４，５により、台座部を構成し、センサーやその他の部材を装着することができるようになっている。
【００２０】
さて、本実施の形態では、シールケース１の内側に沿って、円弧状の座金１０（拘束手段）が設けてある。
【００２１】
この座金１０の材質は、例えば、ＳＰＣＣ、ＳＵＳ、黄銅等であるが、これに限定されるものではない。
【００２２】
座金１０は、その中央部に、径方向ボルト４を装着し、その両端部に、軸方向ボルト５を装着するように構成してある。
【００２３】
座金１０の中央部には、径方向ボルト４を通挿する孔又は切欠き１１が形成してあり、これに隣接して、折曲片１２が形成してある。
【００２４】
これにより、孔又は切欠き１１に、径方向ボルト４を通挿し、折曲片１２に径方向ボルト４の頭部を当接し、折曲片１２を折り曲げる（図１（ｂ））。
【００２５】
従って、溶接作業を廃止してその寸法精度への影響を除去すると共に作業効率を向上しながらも、折曲片１２が頭部の回転を拘束することにより、径方向ボルト４の廻り止めの機能を十分に発揮することができる。また、折曲片１２を折り曲げたことにより、頭部の抜けを拘束して、径方向ボルト４の脱落防止の機能を十分に発揮することができる。
【００２６】
なお、孔又は切欠き１１に、径方向ボルト４が通挿してあるため、座金１０全体が軸方向に移動して外れることはない。
【００２７】
座金１０の両端部には、座金本体に略直角である座部２０が設けてあり、この座部２０に、軸方向ボルト５を通挿する切欠き２１が形成してある。この切欠き２１に隣接して、縦壁２２が設けてあり、この縦壁２２は、折り曲げられた折曲片２３を有している。
【００２８】
これにより、切欠き２１に、軸方向ボルト５をスライドさせながら挿入する。次いで、座金１０をシールケース１に取付ける。
【００２９】
従って、縦壁２２が軸方向ボルト５に当接して、その頭部の回転を拘束することにより、軸方向ボルト５の廻り止めの機能を十分に発揮することができる。
【００３０】
また、折曲片２３が軸方向ボルト５の頭部の抜けを拘束することにより、軸方向ボルト５の脱落防止の機能を十分に発揮することができる。
【００３１】
なお、座金１０は、好適には、両端部に軸方向ボルト５を装着した状態で、シールケース１に装着し、中央部に径方向ボルト４を装着する。
【００３２】
なお、本発明は、上述した実施の形態に限定されず、種々変形可能である。
【図面の簡単な説明】
【００３３】
【図１】（ａ）は、本発明の実施の形態に係る軸受用シールケースの正面図であり、（ｂ）は、その断面図であり、（ｃ）は、（ｂ）の矢印ｃの矢視図である。
【図２】（ａ）は、図１に示した座金の拡大図であり、（ｂ）は、（ａ）のｂ−ｂ線に沿った断面図である。
【図３】（ａ）は、従来例に係る軸受用シールケースの正面図であり、（ｂ）は、その断面図である。
【符号の説明】
【００３４】
１  シールケース
２  フランジ部
３  円板部
４  径方向ボルト
５  軸方向ボルト
１０  座金
１１  孔又は切欠き
１２  折曲片
２０  座部
２１  切欠き
２２  縦壁
２３  折曲片
【図１】
2007002876.tif 000003
【図２】
2007002876.tif 000004
【図３】
2007002876.tif 000005